(57)【要約】【課題】壁面や屋根面との間隔を容易に調整することができる断熱パネル、外断熱建物構造、外断熱建物構造の施工方法および断熱施工方法を提供する。【解決手段】長方形の枠組１１と、枠組１１の内側に開口１３を塞ぐよう固定された断熱材１２とを有している。枠組１１は、その厚さ方向に貫通する複数のめねじ孔１４を周囲に有し、めねじ孔１４にその深さ以下の長さのレベル調整用のイモネジ１６が螺合している。枠組１１は、対向する２本の枠材１１ａの外側面の互いに対応する位置に、厚さ方向に伸びて室外側端部が開放した係合溝１７をそれぞれ有している。連結部材２０が、隣接する枠材１１ａの各係合溝１７と室外側端部から係合して各枠材１１ａを連結している。イモネジ１６をめねじ孔１４から壁面３または屋根面４の表面に当接するよう突出させて、各断熱パネル１０の表面を連続させる。【選択図】図１
2006183441.tif 000002
【特許請求の範囲】
【請求項１】
長方形の枠組と、前記枠組の内側に開口を塞ぐよう固定された断熱材とを有し、前記枠組はその厚さ方向に貫通する複数のめねじ孔を周囲に有し、前記めねじ孔にその深さ以下の長さのレベル調整用のイモネジが螺合していることを、特徴とする断熱パネル。
【請求項２】
前記イモネジの先端にその軸線を中心として回転可能に屋根支持部が設けられていることを特徴とする請求項１記載の断熱パネル。
【請求項３】
前記枠組は内側に補強用桟を有し、前記断熱材は前記枠組を金属板の上に載せてその内側に吹き付けられたウレタンから成ることを、特徴とする請求項１または２記載の断熱パネル。
【請求項４】
請求項１または２記載の断熱パネルを複数有し、壁面または屋根面が室外側から前記断熱パネルで覆われていることを、特徴とする外断熱建物構造。
【請求項５】
連結部材を有し、各断熱パネルは、枠組が４本の枠材を有し、対向する２本の枠材の外側面の互いに対応する位置に厚さ方向に伸びて室外側端部が開放した係合溝をそれぞれ有し、前記断熱パネルはそれぞれ隣接して配置され、前記連結部材は隣接する枠材の各係合溝と前記室外側端部から係合して各枠材を連結していることを、特徴とする請求項４記載の外断熱建物構造。
【請求項６】
連結部材を有し、各断熱パネルは、枠組が４本の枠材を有し、対向する２本の枠材の室外側面の縁部に沿って保持用溝をそれぞれ有し、前記断熱パネルはそれぞれ隣接して配置され、前記連結部材は保持板と釘とを有し、前記保持板は隣接する枠材の各保持用溝に嵌合され、前記釘は前記保持板および前記枠材を貫通して前記保持板で各枠材を押えるよう柱に固定されていることを、特徴とする請求項４記載の外断熱建物構造。
【請求項７】
請求項４，５または６記載の外断熱建物構造であって、野地と軒天井とを備えた軒を有し、
側面に長さ方向に沿って伸びる一端側が開放したガイド溝を有し、野地と軒天井を貫通して野地で支持されたガイド管と、
前記ガイド管の下端に設けられて軒天井の室外側部分を支持する支持部材と、
前記ガイド溝を通して前記ガイド管の内部にスライド可能に設けられたスライド部材を室外側面に有し、野地と軒天井との間の空間を室内側と室外側とに仕切る軒用断熱パネルと、
前記軒用断熱パネルを前記ガイド管または前記軒天井に固定する固定部材とを、
有することを特徴とする外断熱建物構造。
【請求項８】
請求項４，５または６記載の外断熱建物構造の施工方法であって、
長方形の枠組と、前記枠組の内側に開口を塞ぐよう固定された断熱パネルとを有し、前記枠組はその厚さ方向に貫通する複数のめねじ孔を周囲に有し、前記めねじ孔にその深さ以下の長さのレベル調整用のイモネジが螺合している複数の断熱パネルを隣接させて、各断熱パネルで壁面または屋根面を室外側から覆い、前記イモネジを前記めねじ孔から前記壁面または前記屋根面の表面に当接するよう突出させて、各断熱パネルの表面を連続させることを、特徴とする外断熱建物構造の施工方法。
【請求項９】
請求項４，５または６記載の外断熱建物構造であって、野地と軒天井とを備えた軒を有する外断熱建物構造の断熱施工方法であって、
野地と軒天井とに貫通孔を形成する第１工程と、
第１工程後、側面にガイド溝を有するガイド管であってそのガイド溝は長さ方向に沿って伸びて一端側が開放したものを前記貫通孔に挿入する第２工程と、
第２工程後、前記ガイド管の下端に支持部材を取り付け、その支持部材で支持部材より室外側の軒天井の部分を支持する第３工程と、
第３工程後、前記貫通孔に連通するよう貫通孔より室内側の軒天井の部分に軒天井を室内側と室外側とに分けるパネル用溝を形成する第４工程と、
第４工程後、室外側面にスライド部材を有する軒用断熱パネルのスライド部材を前記ガイド溝を通して前記ガイド管の内部でスライドさせ、前記軒用断熱パネルを前記パネル用溝に通し、前記軒用断熱パネルで前記野地と前記軒天井との間の空間を室内側と室外側とに仕切る第５工程と、
第５工程後、前記軒用断熱パネルを前記ガイド管または前記軒天井に固定する第６工程とを、
有することを特徴とする断熱施工方法。
【発明の詳細な説明】
【技術分野】
【０００１】
本発明は、断熱パネル、外断熱建物構造、外断熱建物構造の施工方法および断熱施工方法に関する。
【背景技術】
【０００２】
従来、断熱パネルと壁面や屋根面との間に間隔を設けるためにスペーサが使用されている。しかし、一般的なスペーサは、間隔の調整ができないという問題があった。この問題を解決するために、パネルの端部にボルトを立設し、そのボルトに歯車を具えたナットを螺合し、歯車を回転させることによりボルトに対してナットを出し入れし、ナットの先端で壁面を押すことによりパネルと壁面との間隔を調整する施工方法がある（特許文献１参照）。
【０００３】
【特許文献１】特開平７−１３９１２２号公報
【発明の開示】
【発明が解決しようとする課題】
【０００４】
しかしながら、特許文献１記載の施工方法では、歯車等を有し、構造が複雑なため、製造コストが嵩むという課題があった。また、歯車がパネルと壁面との間にあるため、隣接するパネルが施工されてその隙間が塞がれた後は、パネルと壁面との間隔を調整することができないという課題があった。さらに、ボルトやナットの取付作業を要するため、その労力および作業時間がかかるという課題もあった。
【０００５】
本発明は、このような課題に着目してなされたもので、壁面や屋根面との間隔を容易に調整することができる断熱パネル、外断熱建物構造、外断熱建物構造の施工方法および断熱施工方法を提供することを目的としている。
【課題を解決するための手段】
【０００６】
上記目的を達成するために、本発明に係る断熱パネルは、長方形の枠組と、前記枠組の内側に開口を塞ぐよう固定された断熱材とを有し、前記枠組はその厚さ方向に貫通する複数のめねじ孔を周囲に有し、前記めねじ孔にその深さ以下の長さのレベル調整用のイモネジが螺合していることを、特徴とする。
【０００７】
本発明に係る断熱パネルは、枠組の厚さ方向に貫通するめねじ孔にレベル調整用のイモネジが螺合しているため、めねじ孔の一端からイモネジの頭をドライバーで回転させて、めねじ孔の他端からイモネジの先端を任意の長さだけ突出させることができる。このため、イモネジの先端側の面を壁面や屋根面に向けて取り付け、その反対側からイモネジを回転させてイモネジの先端を壁面や屋根面に当てることにより、壁面や屋根面との間隔を調整することができる。このように、本発明に係る断熱パネルは、壁面や屋根面に対して室外側から壁面や屋根面との間隔を調整できるため、間隔の調整が容易である。また、あらかじめ枠組にイモネジが螺合しているため、施工現場でイモネジを取り付ける手間や時間を省くことができる。
【０００８】
本発明に係る断熱パネルは、前記イモネジの先端にその軸線を中心として回転可能に屋根支持部が設けられていてもよい。この場合、屋根支持部を屋根面に取り付けて断熱パネルを配置し、イモネジを回転させて断熱パネルと屋根面との間隔を調整することができる。また、屋根支持部を屋根面の凹凸の形状に合わせた形状にすることにより、屋根面の凹凸の影響を受けずに断熱パネルを配置することができる。
【０００９】
本発明に係る断熱パネルにおいて、前記枠組は内側に補強用桟を有し、前記断熱材は前記枠組を金属板の上に載せてその内側に吹き付けられたウレタンから成ることが好ましい。この場合、ウレタンを枠組と固着させ、一体的に形成することができる。また、補強用桟により、枠組が変形するのを防ぐことができる。
【００１０】
本発明に係る外断熱建物構造は、本発明に係る断熱パネルを複数有し、壁面または屋根面が室外側から前記断熱パネルで覆われていることを、特徴とする。
また、本発明に係る外断熱建物構造の施工方法は、本発明に係る外断熱建物構造の施工方法であって、長方形の枠組と、前記枠組の内側に開口を塞ぐよう固定された断熱パネルとを有し、前記枠組はその厚さ方向に貫通する複数のめねじ孔を周囲に有し、前記めねじ孔にその深さ以下の長さのレベル調整用のイモネジが螺合している複数の断熱パネルを隣接させて、各断熱パネルで壁面または屋根面を室外側から覆い、前記イモネジを前記めねじ孔から前記壁面または前記屋根面の表面に当接するよう突出させて、各断熱パネルの表面を連続させることを、特徴とする。
【００１１】
本発明に係る外断熱建物構造およびその施工方法は、イモネジを回転させてイモネジの先端を壁面や屋根面に当てることにより、壁面や屋根面との間隔を調整することができる。このため、各断熱パネルの表面を連続させるのが容易である。
【００１２】
本発明に係る外断熱建物構造は、連結部材を有し、各断熱パネルは、枠組が４本の枠材を有し、対向する２本の枠材の外側面の互いに対応する位置に厚さ方向に伸びて室外側端部が開放した係合溝をそれぞれ有し、前記断熱パネルはそれぞれ隣接して配置され、前記連結部材は隣接する枠材の各係合溝と前記室外側端部から係合して各枠材を連結していることが好ましい。この場合、断熱パネルを隣接して配置した後、室外側端部から係合溝に連結部材を係合するだけで容易に断熱パネルを施工することができる。なお、断熱パネルを取り外しできるよう、連結部材は係合溝に着脱可能に係合していることが好ましい。
【００１３】
本発明に係る外断熱建物構造は、連結部材を有し、各断熱パネルは、枠組が４本の枠材を有し、対向する２本の枠材の室外側面の縁部に沿って保持用溝をそれぞれ有し、前記断熱パネルはそれぞれ隣接して配置され、前記連結部材は保持板と釘とを有し、前記保持板は隣接する枠材の各保持用溝に嵌合され、前記釘は前記保持板および前記枠材を貫通して前記保持板で各枠材を押えるよう柱に固定されていてもよい。この場合、１つの連結部材により、隣接して配置された断熱パネルを互いに固定することかできる。
【００１４】
本発明に係る外断熱建物構造は、野地と軒天井とを備えた軒を有し、側面に長さ方向に沿って伸びる一端側が開放したガイド溝を有し、野地と軒天井を貫通して野地で支持されたガイド管と、前記ガイド管の下端に設けられて軒天井の室外側部分を支持する支持部材と、前記ガイド溝を通して前記ガイド管の内部にスライド可能に設けられたスライド部材を室外側面に有し、野地と軒天井との間の空間を室内側と室外側とに仕切る軒用断熱パネルと、前記軒用断熱パネルを前記ガイド管または前記軒天井に固定する固定部材とを、有していることが好ましい。この場合、軒用断熱パネルにより、軒天井の部分でも断熱構造を有するため、建物の断熱効果を高めることができる。
【００１５】
本発明に係る断熱施工方法は、本発明に係る外断熱建物構造であって、野地と軒天井とを備えた軒を有する外断熱建物構造の断熱施工方法であって、野地と軒天井とに貫通孔を形成する第１工程と、第１工程後、側面にガイド溝を有するガイド管であってそのガイド溝は長さ方向に沿って伸びて一端側が開放したものを前記貫通孔に挿入する第２工程と、第２工程後、前記ガイド管の下端に支持部材を取り付け、その支持部材で支持部材より室外側の軒天井の部分を支持する第３工程と、第３工程後、前記貫通孔に連通するよう貫通孔より室内側の軒天井の部分に軒天井を室内側と室外側とに分けるパネル用溝を形成する第４工程と、第４工程後、室外側面にスライド部材を有する軒用断熱パネルのスライド部材を前記ガイド溝を通して前記ガイド管の内部でスライドさせ、前記軒用断熱パネルを前記パネル用溝に通し、前記軒用断熱パネルで前記野地と前記軒天井との間の空間を室内側と室外側とに仕切る第５工程と、第５工程後、前記軒用断熱パネルを前記ガイド管または前記軒天井に固定する第６工程とを、有することを特徴とする。
【００１６】
本発明に係る断熱施工方法は、軒天井全体を壊して取り除いてから断熱施工を行う従来の方法に比べて、軒天井全体を壊す必要がなく、軒天井をもとの状態に戻すのが容易なため、施工時間を短縮し、かつ施工費用を低減することができ、軒天井の部分に容易に断熱構造を施すことができる。さらに、従来の方法では、壊した後の軒天井から大量の廃棄物を生じていたのに対し、廃棄物となる量が少ないため、その処理コストを削減することができる。
【発明の効果】
【００１７】
本発明によれば、壁面や屋根面との間隔を容易に調整することができる断熱パネル、外断熱建物構造、外断熱建物構造の施工方法および断熱施工方法を提供することができる。
【発明を実施するための最良の形態】
【００１８】
以下、図面に基づき、本発明の実施の形態について説明する。
図１乃至図６は、本発明の実施の形態の断熱パネル、外断熱建物構造、外断熱建物構造の施工方法および断熱施工方法を示している。
図１乃至図５に示すように、本発明の実施の形態の外断熱建物構造は、複数の断熱パネル１０と連結部材２０とガイド管３０と支持部材４０と軒用断熱パネル５０と固定部材６０とを有している。
【００１９】
外断熱建物構造は、野地１と軒天井２とを備えた軒を有し、壁面３または屋根面４が室外側から断熱パネル１０で覆われている。
図１に示すように、各断熱パネル１０は、枠組１１と断熱材１２とを有し、それぞれ隣接して配置されている。
【００２０】
図１（ａ）に示すように、枠組１１は、４本の細長い木製の枠材１１ａを長方形に組んで形成されている。また、枠組１１は、長方形の各短辺の中心を接続するよう木製の補強用桟１１ｂが架け渡されている。枠材１１ａおよび補強用桟１１ｂは、図１（ｂ）に示すように、それぞれ対向する面に等間隔で複数の貫通孔１１ｃを有し、各貫通孔１１ｃに補強用桟１１ｄが貫通して固定されている。これにより、枠組１１は、内側に複数の開口１３が形成されている。
図１（ｃ）に示すように、枠組１１は、長さ方向に沿った枠材１１ａおよび補強用桟１１ｂに、その厚さ方向に貫通する複数のめねじ孔１４を有し、各めねじ孔１４に丸ナット１５が固定されている。丸ナット１５は、枠組１１の厚さと同じ長さを有している。丸ナット１５は、一端にフランジ１５ａを有し、フランジ１５ａを枠組１１の面１０ａに当接している。丸ナット１５には、レベル調整用のイモネジ１６が螺合している。イモネジ１６は、先端１６ａを面１０ａから突出可能である。
【００２１】
図３（ａ）に示すように、枠組１１は、対向する２本の枠材１１ａの外側面の互いに対応する位置に、それぞれ係合溝１７を有している。係合溝１７は、各枠材１１ａの厚さ方向に伸びて室外側端部が開放している。係合溝１７は、各枠材１１ａの外側面から内側に向かって徐々に幅が拡がる形状を有している。係合溝１７は、隣接する断熱パネル１０の係合溝１７同士が連通するようになっている。また、枠組１１は、各枠材１１ａの室外側側面に、係合溝１７に接続したつまみ用凹部１７ａを有している。
【００２２】
図１（ａ）に示すように、断熱材１２は、ウレタン製で、枠組１１の内側に複数の開口１３を塞ぐよう固定されている。断熱材１２は、枠組１１を金属板の上に載せてその内側に吹き付けられたウレタンから成っている。枠組１１の幅方向の補強用桟１１ｄは、断熱材１２の内部に埋め込まれている。
【００２３】
なお、図２に示すように、屋根面４を覆う断熱パネル１０は、イモネジ１６の先端１６ａにその軸線を中心として回転可能に屋根支持部１８が設けられている。屋根支持部１８は、屋根面４の凹凸４ａの形状に合わせた形状を成している。
【００２４】
図３（ｂ）に示すように、連結部材２０は、隣接する枠材１１ａの各係合溝１７と室外側端部から係合するよう、その室外側の形状と同じ形状の端面２１を有し、その深さと同じ長さを有している。連結部材２０は、隣接する枠材１１ａの各係合溝１７に挿入しやすいよう、端面２１と反対側の先端２２にテーパ２３が加工されている。図３（ａ）に示すように、連結部材２０は、先端２２から隣接する枠材１１ａの各係合溝１７に着脱可能に挿入され、隙間なく係合して各枠材１１ａを連結している。
【００２５】
図４に示すように、ガイド管３０は、野地１と軒天井２とを貫通して設けられている。ガイド管３０は、ガイド溝（図示せず）とキャップ３１とを有している。ガイド溝は、ガイド管３０の室内側の側面に長さ方向に沿って伸び、ガイド管３０の下端３０ａ側で開放している。キャップ３１は、ガイド管３０の上端３０ｂに設けられている。キャップ３１は、ガイド管３０の内部に連通する開口を有し、開口の周囲に野地１の勾配に沿ったフランジ部３１ａを有している。ガイド管３０は、キャップ３１のフランジ部３１ａにより、野地１で支持されている。
【００２６】
図４に示すように、支持部材４０は、ガイド管３０の下端３０ａに設けられている。支持部材４０は、ガイド管３０の内部に連通する開口を有し、開口の周囲にフランジ部４０ａを有している。支持部材４０は、軒天井２の室外側部分を支持するよう、軒天井２の下部からガイド管３０に取り付けられている。
【００２７】
図４に示すように、軒用断熱パネル５０は、野地１と軒天井２との間の空間を室内側と室外側とに仕切るよう、ガイド管３０の室内側に設けられている。図５に示すように、軒用断熱パネル５０は、２本の木製の側方部材５１の間に、ウレタン製の断熱材５２を固定して形成されている。各側方部材５１は、室外側部に長さ方向に沿ってスライド部材５３を有している。スライド部材５３は、細長く、ガイド管３０の内径よりやや小さい直径の円柱形状を成し、ガイド管３０のガイド溝の幅より小さい厚さを有する接続部材５４を介して取り付けられている。スライド部材５３は、各側方部材５１の上端から突出している。図４に示すように、スライド部材５３は、ガイド管３０の下端３０ａから挿入されて、ガイド溝を通してガイド管３０の内部にスライド可能に設けられている。なお、スライド部材５３のスライドに応じて軒用断熱パネル５０もスライド可能に、ガイド管３０の室内側の軒天井２の部分に軒天井２を室内側と室外側とに分けるパネル用溝２ａが形成されている。
【００２８】
固定部材６０は、支持部材４０の開口およびパネル用溝２ａを塞ぐよう、軒天井２の下部に取り付けられている。また、固定部材６０は、軒用断熱パネル５０の下部を軒天井２に固定している。
【００２９】
外断熱建物構造は、以下に示す外断熱建物構造の施工方法および断熱施工方法により好適に施工される。
まず、複数の断熱パネル１０を隣接させて、各断熱パネル１０で壁面３または屋根面４を室外側から覆う。このとき、イモネジ１６の先端１６ａ側の面１０ａを壁面３や屋根面４に向けて取り付ける。図１（ｃ）に示すように、壁面３を覆う断熱パネル１０では、イモネジ１６をめねじ孔１４から壁面３の表面に当接するよう突出させて各断熱パネル１０の表面を連続させる。また、図２に示すように、屋根面４を覆う断熱パネル１０では、屋根支持部１８を屋根面４の凹凸４ａに合わせて配置し、イモネジ１６をめねじ孔１４から突出させて各断熱パネル１０の表面を連続させる。
【００３０】
このとき、めねじ孔１４の一端からイモネジ１６の頭１６ｂをドライバーで回転させて、めねじ孔１４の他端からイモネジ１６の先端１６ａを任意の長さだけ突出させることにより、壁面３や屋根面４との間隔を調整することができる。このため、各断熱パネル１０の表面を連続させるのが容易である。また、屋根支持部１８により、屋根面４の凹凸４ａの影響を受けずに断熱パネル１０を配置することができる。このように、壁面３や屋根面４に対して室外側から壁面３や屋根面４との間隔を調整できるため、間隔の調整が容易である。また、あらかじめ枠組１１にイモネジ１６が螺合しているため、施工現場でイモネジ１６を取り付ける手間や時間を省くことができる。
【００３１】
各断熱パネル１０を隣接して配置し、その表面を連続させたならば、図３（ａ）に示すように、隣接する枠材１１ａの各係合溝１７に、室外側端部から連結部材２０を挿入して係合させる。これにより、容易に断熱パネル１０を施工することができる。なお、連結部材２０は、つまみ用凹部１７ａに指を入れて引っ張ることにより、容易に取り外すことができる。
【００３２】
断熱パネル１０において、枠組１１は内側に補強用桟１１ｂ、１１ｄを有し、断熱材１２は枠組１１を金属板の上に載せてその内側に吹き付けられたウレタンから成っている。このため、ウレタンを枠組１１と固着させ、一体的に形成することができる。また、補強用桟１１ｂ、１１ｄにより、枠組１１が変形するのを防ぐことができる。
【００３３】
次に、軒の野地１と軒天井２との間の部分の、外断熱構造の断熱施工を行う。図４に示すように、まず、野地１と軒天井２とに貫通孔５を形成する。キャップ３１を上にし、ガイド溝を室内側に向けて、ガイド管３０を野地１側から貫通孔５に挿入する。ガイド管３０の下端３０ａに支持部材４０を取り付け、その支持部材４０で支持部材４０より室外側の軒天井２の部分を支持させる。貫通孔５に連通するよう貫通孔５より室内側の軒天井２の部分に、軒天井２を室内側と室外側とに分けるパネル用溝２ａを形成する。軒用断熱パネル５０のスライド部材５３をガイド管３０の下端３０ａからガイド管３０の内部に通し、接続部材５４をガイド溝に通して、スライド部材５３をガイド管３０の内部でスライドさせる。それと同時に、軒用断熱パネル５０をパネル用溝２ａに通し、軒用断熱パネル５０を野地１と軒天井２との間の空間を室内側と室外側とに仕切る位置に配置する。ガイド管３０のキャップ３１から突出したスライド部材５３の上部を切断する。固定部材６０により、支持部材４０の開口およびパネル用溝２ａを塞ぐと同時に、軒用断熱パネル５０を軒天井２に固定する。
【００３４】
こうして、軒用断熱パネル５０により、軒天井２の部分でも断熱構造を有するため、建物の断熱効果を高めることができる。また、軒天井２全体を壊して取り除いてから断熱施工を行う従来の方法に比べて、軒天井２全体を壊す必要がなく、軒天井２をもとの状態に戻すのが容易なため、施工時間を短縮し、かつ施工費用を低減することができ、軒天井２の部分に容易に断熱構造を施すことができる。さらに、従来の方法では、壊した後の軒天井２から大量の廃棄物を生じていたのに対し、廃棄物となる量が少ないため、その処理コストを削減することができる。
【００３５】
なお、図６に示すように、各断熱パネル１０は、対向する２本の枠材１１ａの室外側面の縁部に沿って保持用溝６１をそれぞれ有し、連結部材２０は、保持板６２と釘６３とを有し、保持板６２は隣接する枠材１１ａの各保持用溝６１に嵌合され、釘６３は保持板６２および枠材１１ａを貫通して保持板６２で各枠材１１ａを押えるよう柱６に固定されていてもよい。この場合、１つの連結部材２０により、隣接して配置された断熱パネル１０を互いに固定することかできる。
【図面の簡単な説明】
【００３６】
【図１】本発明の実施の形態の断熱パネルの（ａ）正面図、（ｂ）枠組の縦断面図、（ｃ）壁面を覆う使用状態を示す断面図ある。
【図２】図１に示す断熱パネルの屋根面を覆う使用状態を示す断面図である。
【図３】本発明の実施の形態の外断熱建物構造の連結部材の（ａ）使用状態を示す正面図、（ｂ）斜視図である。
【図４】本発明の実施の形態の外断熱建物構造の軒部分を示す断面図である。
【図５】図４に示す外断熱建物構造の軒用断熱パネルを示す（ａ）平面図、（ｂ）正面図である。
【図６】本発明の実施の形態の外断熱建物構造の断熱パネルおよび連結部材の変形例の使用状態を示す（ａ）断面図、（ｂ）正面図である。
【符号の説明】
【００３７】
１    野地
２    軒天井
２ａ  パネル用溝
３    壁面
４    屋根面
５    貫通孔
１０  断熱パネル
１１  枠組
１２  断熱材
１３  開口
１４  めねじ孔
１５  丸ナット
１６  イモネジ
１７  係合溝
１８  屋根支持部
２０  連結部材
２１  端面
２２  先端
２３  テーパ
３０  ガイド管
３１  キャップ
４０  支持部材
５０  軒用断熱パネル
５１  側方部材
５２  断熱材
５３  スライド部材
５４  接続部材
６０  固定部材
【図１】
2006183441.tif 000003
【図２】
2006183441.tif 000004
【図３】
2006183441.tif 000005
【図４】
2006183441.tif 000006
【図５】
2006183441.tif 000007
【図６】
2006183441.tif 000008